(57)【要約】【課題】  高齢者や身体障害者などが、安全かつ容易に神棚のメンテナンスができる、昇降式神棚を提供する。【解決手段】  縦長矩形の両縦枠辺内側にはオーバーハング状に繰り出し可能なスライドレールユニットの一方レールを対向して設け、両縦辺外側に該スライドレールユニットの他方レールを設けて縦長矩形の両縦枠辺内間にスライドレールユニットを介して挟持されるように配置した昇降枠には、前面に棚板を固定可能とすると共に背面で縦長矩形枠の奥行範囲内の縦方向に配置した昇降駆動機構の昇降子を係止して、昇降駆動機構により棚板を上下動自在とし、棚板には神棚を固定し、昇降子を最上昇させたときは昇降枠が縦長矩形枠の長さ範囲内に収納され、昇降子を最下降させたときはスライドレールユニットが下方にオーバーハング状に繰り出されて昇降枠が縦長矩形枠から大きく突出して下降位置を採ることを特徴とする昇降式神棚。【選択図】図１
2009207865.tif 000002
【特許請求の範囲】
【請求項１】
縦長矩形の両縦長矩形枠内側にはオーバーハング状に繰り出し可能なスライドレールユニットの一方レールを対向して設け、両縦辺外側に該スライドレールユニットの他方レールを設けて縦長矩形枠の両縦枠辺内間にスライドレールユニットを介して挟持されるように配置した昇降枠には、前面に棚板を固定可能とすると共に背面で縦長矩形枠の奥行範囲内の縦方向に配置した昇降駆動機構の昇降子を係止して、昇降駆動機構により棚板を上下動自在とし、棚板にはお宮を固定し、昇降子を最上昇させたときは昇降枠が縦長矩形枠の長さ範囲内に収納され、昇降子を最下降させたときはスライドレールユニットが下方にオーバーハング状に繰り出されて昇降枠が縦長矩形枠から大きく突出して下降位置を採ることを特徴とする昇降式神棚。
【請求項２】
前記昇降枠は、コ字ないし下駄面上であり、その中央陥部に収まるように昇降機構部の昇降竿を位置させていることを特徴とする請求項１記載の昇降式神棚。
【発明の詳細な説明】
【技術分野】
【０００１】  本発明は、神仏具類の神棚を容易に昇降させる昇降式神棚に関するものである。
【背景技術】
【０００２】  従来、神棚の設置場所は、一般的に室内の高所に設置されている。神棚には榊立てなど神具セットが提供されていて、この神具セットの水など、毎日の交換が理想とされているが、神棚の設置場所が高所にある為、放置されているケースが多い。この交換作業には、脚立など足踏み台を使用している。この時、特に高齢者による脚立など足踏み台からの転倒による骨折などの災害が発生して、社会問題化している。また、従来の神棚は、棚板の上にお宮を乗せていた為、お宮が地震などの影響を受け転倒・落下の心配があった。
かかる状況の中、昇降式神棚についての種々の提案が特許出願等によりなされている。【０００３】
【特許文献１】実用新案登録第３１１３０９６
【特許文献２】実用新案登録第３０５９０１４
【０００４】  これらは昇降式神棚を開示するが、いずれも下記のような問題点を有している。
（１）特許文献１は揺動式で、手前の引き降ろしが可能ながら機構が大掛かりになり易い。
（２）特許文献２は、直動式で、原理的には可能だが、実製品を見たことがない。
即ち、図示のレール（４）の配置・構造では強度を出せず、ガタを生じ易く、その他実用上の問題を全く解決していない。
【発明の開示】
【発明が解決しょうとする課題】
【０００５】
【課題を解決するための手段】
この課題を解決するための発明は、神棚を昇降させる際のガイドレールとして市販のスライドレールユニットを用い、縦長矩形枠の両縦枠周辺間でこのスライドレールユニットを介して挟まれるように昇降枠を配置し、その背面において昇降駆動機構を配置したので、ガタを生じ難く、充分な強度で、耐久性のあるしかも前面への突出を少なくした昇降式神棚とすることが出来た。また昇降子を最上昇させたときは昇降枠が縦長矩形枠の長さ範囲内に収納されるようにしたので、設置前はコンパクトな矩形枠として梱包・輸送等が行え、他方、昇降子を最下降させたときはスライドレールユニットが下方にオーバーハング状に繰り出されて昇降枠が縦長矩形枠から大きく突出して下降位置を採るようにしたので、設置後の神棚を手元近くまで下降させることができ、簡単かつ安全に神具セットなどを交換できる昇降式神棚を提供しようとするものである。これにより、高齢者や障害者でも転倒などの心配なく、安心して神棚のメンテナンスができる。
【発明の効果】
【０００６】
【発明を実施するための最良の形態】
【０００７】  以下、本発明を図面により、詳細に説明する。
図１において、１がお宮と呼ばれる神棚の本体で、最近はＤＩＹ店などでも購入できるものである。そして、このお宮１は、棚板２１に搭載、固定されている。棚板２１は、棚板支木２２及び支木２３により、昇降枠３の前面に固定されて、昇降枠３と一体的に上下昇降する。昇降枠３は、縦長矩形枠２の背面にスライドレールユニット固定部材６を２個その両端寄りに固定して、断面形状が下駄断面状を呈するようになっている。左右の各スライドレールユニット固定部材６の外側にはスライドレールユニット５の他方レール５２を固定しスライドさせる。このスライドレールとしては、全長が２段に伸縮スライドする市販のスガツネスライドレール４５１８−５００などを用いることができる。このお宮の昇降には静粛さと信頼性に富み、メンテナンスフリーの安価な製品、市販のメガマット２０００Ｎ４５０ＳＴ＋ＭＢＬ１＋ＤＸ２Ｂ・ストローク４５などを用いることができる。こメガマットには、任意のストロークがあり、状況によって選択する。なお、この昇降駆動機構４は、昇降枠３と雲板９により、外側からは見えず、見栄えの良い昇降式神棚となった。【０００８】図２は、天井面から１０ｃｍ空け、縦長矩形枠２（高さ７３ｃｍ×横３５ｃｍ）を壁面に取り付け市販のスライドレールユニット５を介して挟まれるように配置した昇降枠３に棚板２１を固定し、その上にお宮１を搭載、固定した側面図である。縦長矩形枠２のサイズは、状況によって、任意に変更する。【０００９】図２−１は、昇降駆動機構４を使って昇降駆動機構昇降子４４が４５ｃｍ降下した側面図である。これにより天井から１０ｃｍ下の壁面に縦長矩形枠２が取り付けられた場合、棚板２１の位置は天井から８３ｃｍとなる。ここからさらに昇降駆動機構昇降子４４が４５ｃｍお宮１を降下させたため、棚板２１の位置が天井から１２８ｃｍ降下した位置になった。天井の高さを２４０ｃｍとすると２４０−１２８ｃｍで、１１２ｃｍとなり、身長の低い人でも容易に神具セットのメンテナンスができ、脚立などに乗っての転倒などの心配がなくなる。【００１０】図３は、縦長矩形枠２にスライドレールユニット５を介して取り付けられた昇降枠３を取り付けた正面図である。この昇降枠３がスライドレールユニット５と同調し、昇降駆動機構固定子４３から伸長した昇降駆動機構昇降子４４により４５ｃｍ降下する。縦長矩形枠２（高さ７３ｃｍ×横３５ｃｍ）は長方４辺形のため、コンパクトながら強度を保持していると同時に軽量化も図ることができ、壁面に設置しやすくなった。【００１１】図４は、縦長矩形枠２を下面から見た矢視図である。昇降駆動機構４は、昇降枠３と昇降子固定部材８に保持され、スライドレールユニット５は昇降子固定部材６に一体化されているため、ガタのない強固・静粛な神棚の昇降を可能にした。
本発明は、以上のような構造で、これを使用するときは昇降駆動機構４の電源スイッチを入れ、任意の高さに神棚を昇降させる。昇降駆動機構４は、スイッチのオン・オフで昇降位置を調整できるので、非常に扱いやすい。
【図面の簡単な説明】
【００１２】
【図１】本発明の正面図。
【図２】本発明の縦長矩形枠に神棚を取り付けた側面図。
【図２−１】本発明の縦長矩形枠に神棚を取り付け下降させた側面図。
【図３】本発明の縦長矩形枠から昇降枠が降下した正面図。
【図４】本発明の縦長矩形枠を下面からみた矢視図である。
【符号の説明】
【００１３】    １    お宮
２    縦長矩形昇降枠
３    昇降枠
４    昇降駆動機構
５    スライドレールユニット
６    スライドレールユニット固定部材
７    縦辺枠
８    昇降子固定部材
９    雲板
２１  棚板
２２  棚板支木
２３  支木
４１  昇降駆動機構電動モーター部
４２  昇降駆動機構コントローラー
４３  昇降駆動機構固定子
４４  昇降駆動機構昇降子
５１  スライドレールユニット一方レール
５２  スライドレールユニット他方レール
【図１】
2009207865.tif 000003
【図２】
2009207865.tif 000004
【図２−１】
2009207865.tif 000005
【図３】
2009207865.tif 000006
【図４】
2009207865.tif 000007